(57)【要約】【課題】  優れた固定性能を有する固定台座のモジュール構造を提供する。【解決手段】  ベース１１の向き合う両側に上へ向かって第一支持台座１２及び第二支持台座１３を設け、ベース１１の間に凹穴１４が形成されている。第一修正弾性アーム１２１は第一支持台座１２のトップエッジにおいて凹穴１４に隣接する箇所に下へ向かうように設けられている。第二修正弾性アーム１３１は第二支持台座１３のトップエッジにおいて凹穴１４に隣接する箇所に下へ向かうように設けられている。ばかよけのフランジ１４１は凹穴１４面と第一支持台座１２との接続位置に設けられている。複数の固定ブロック１４２は凹穴１４面に突出するように設置されて、ネットワーク装置に設ける複数の放熱孔に対応し、ネットワーク装置を凹穴１４面に放置するときに、固定ブロック１４２は放熱孔に嵌め込まれる。【選択図】    図１
0003102193.tif 000002
【実用新案登録請求の範囲】
【請求項１】
固定台座のモジュール構造において、
ベースの向き合う両側に上へ向かって第一支持台座及び第二支持台座を設け、ベースの間に凹穴が形成され、ネットワーク装置を二つの支持台座の間に配置し、
第一修正弾性アームは第一支持台座のトップエッジにおいて凹穴に隣接する箇所に下へ向かうように設けられ、ネットワーク装置を平面に挟んで、偏していないように修正し、
第二修正弾性アームは第二支持台座のトップエッジにおいて凹穴に隣接する箇所に下へ向かうように設けられ、ネットワーク装置を平面に挟んで、偏していないように修正し、
ばかよけのフランジは凹穴面と第一支持台座との接続位置に設けられて、ネットワーク装置に合わせて正確にアセンブリして、方向の位置決めをし、
複数の固定ブロックは凹穴面に突出するように設置されて、ネットワーク装置に設ける複数の放熱孔に対応及びマッチし、ネットワーク装置を凹穴面に放置するときに、それら固定ブロックがそれら放熱孔に嵌め込まれることを特徴とする固定台座のモジュール構造。
【請求項２】
第二修正弾性アームの自由端は、位置決めユニットを設けて、ネットワーク装置をセットすることを特徴とする請求項１記載の固定台座のモジュール構造。
【請求項３】
第二修正弾性アームを、第一支持台座に設けて、第一修正弾性アームを第二支持台座に設けてもよいことを特徴とする請求項２記載の固定台座のモジュール構造。
【請求項４】
位置決めユニットは、凸体を採用することを特徴とする請求項２記載の固定台座のモジュール構造。
【請求項５】
ばかよけのフランジは、凹穴面と第一支持台座との接続位置に設けられることを特徴とする請求項１記載の固定台座のモジュール構造。
【請求項６】
ベースの第一支持台座及び第二支持台座の底部に、それぞれフートパッドの固定孔を設け、固定台座のモジュールが机に立つ場合に、滑り動くことを防ぐばかりでなく、固定台座のモジュール及びネットワーク装置（３０）は安定かつ丈夫なように机に立ち、転んで損害するということを回避することを特徴とする請求項１記載の固定台座のモジュール構造。
【考案の詳細な説明】
【技術分野】
【０００１】
本考案は、固定台座のモジュール構造に関するものであり、特に、無線のネットワーク装置に応用しているうちに、ネットワーク装置を挟んで固定し、偏していないように修正するばかりでなく、ばかよけの設計もあるし、同時に、固定台座のモジュール構造が机に立つときに、滑り動きにくいダブル用途も達成されるというものを指す。
【背景技術】
【０００２】
現今、社会は情報および知識の爆発の時代であり、人間の間の情報の交流およびコミュニケーションが益々重要となる。ネットワーク時代の来臨につれて、移動通信、無線通信などのネットワークおよび通信技術は快速に発展および普及している。無線ネットワーク装置は現代の先進の通信ツールとして、人間の日常仕事および生活で益々大切な役割を務めて、取り替えられない作用が出て来る。
【０００３】
インターネットでは、二つ異なる通信協定のネットワーク装置を連結するのは、ゲートウェイを例として、資料のフォーマットを転換させることにより、資料が異なる通信協定でも伝送できる。つまり、それは、異なるネットワーク接続システムのコンピューターネットを接続する装置である。一般的に、ユーザがインターネットで使用する影像および音声の伝送装置も前掲の方式で伝送を行う。そして、ユーザはいずれかの無線ネットワーク装置を使って、無線ネットワークのステーションを経由して、各無線ネットワーク装置の間の信号の受信および発信を実現する。よって、ユーザはいつでも、どこでも、 無線ネットワーク装置で外界と連絡して、最小の時間以内に最大の効果を遂げる。
【０００４】
一般的に、既存の無線ネットワーク装置は、ほぼ殻体を具有する。そんな殻体は、内部の相関的な電子素子が運転しているうちに、大量の熱が出て来るので、通常、複数の放熱孔を設計および配置する。また、ネットワーク装置が安定かつ丈夫なように机又はほかの固定物に立つために、通常、固定台座を採用する。固定台座およびネットワーク装置を使って、ユーザは安心していつでも、どこでも無線ネットワーク装置で外界と連絡する。
【考案の開示】
【考案が解決しようとする課題】
【０００５】
提案者は、現今、無線ネットワーク装置がマーケットで、盛んに発展しているということがよく分かって、ユーザのニーズもはっきり分かる。でも、従来から、既存の固定台座とネットワーク装置との結合は、時代のニーズを満足することが出来ない。つまり、固定台座の固定性能が悪いので、いつも弛んで脱落する。また、ばかよけ設計がないので、ユーザはいつも間違い方向へアセンブリして、錯誤の力を施すので、固定台座又はネットワーク装置の殻体を損害させる。ひどいのになると、固定台座とネットワーク装置が弛みの状態で結ばれるので、ネットワーク装置は安定かつ丈夫なように机に立たなくて、ある角度の傾斜がある。結局、ネットワーク装置はいつも、自身の重心の不安定で転んで、遺憾の損害を招く。
【課題を解決するための手段】
【０００６】
それに鑑みて、提案者は以上の実際のニーズを考えて、従来の固定台座の設計を改良する。そして、固定台座はネットワーク装置に合わせて、優れたクリップ性能および固定性能を具有するばかりでなく、ばかよけの設計もある。同時に、直立に机に置いても、滑り動きにくいというダブル用途も発揮される。上述の問題を解決すると、利便に使える。また、無線ネットワーク装置の販売成績にとって、有利だと言え、広い消費大衆にとって、福音だと言える。要するに、そんなマルチファンクションの製品の研究および開発は、無線ネットワーク装置の業界では、一刻も猶予できない重要な課題だと思う。
【０００７】
前掲のように、従来から、既存の固定台座とネットワーク装置の結合をしているうちに、固定台座の固定性が悪いので、弛んで脱落しやすい。また、ばかよけの設計がないので、組立中又はアセンブリしたあとで、いつも固定台座およびネットワーク装置の殻体を損害させ、使用の色々な不便を招く。マーケットおよびユーザの実際ニーズを考えて、提案者は、長い間に、工夫したり、研究したり、試験して、ようやく本考案の固定台座のモジュール構造を開発した。本考案の発想で、固定台座のモジュール構造の付加価値を増加する。
【０００８】
したがって、本考案の主な目的は、固定台座のモジュール構造を提供することにある。それは、ネットワーク装置を挟んで固定し、偏していないように修正するという固定台座のモジュール構造である。ネットワーク装置を固定台座のモジュール構造の凹穴に入れる時に、凹穴の両側における第一修正弾性アームおよび第二修正弾性アームはネットワーク装置を偏していないように修正する。また、第二修正弾性アームの自由端における位置決めユニットは、おりよくネットワーク装置の片側の放熱孔にセットされる。凹穴の複数固定ブロックは、おりよくネットワーク装置の底部における放熱孔に嵌め込まれる。そうすると、ネットワーク装置は多面の支持により、安定かつ丈夫なように机に直立する。同時に、ばかよけのフランジの設計により、ネットワーク装置の一つのシュートパスしかマッチできないので、正確な位置決め方向に沿ってアセンブリされ、有効的に錯誤組立の損害現象を避ける。
【０００９】
本考案のもう一つの目的は、固定台座のモジュール構造を提供することにある。ネットワーク装置とアセンブリしたあとで、有効的に挟んで固定し、偏していないように修正するばかりでなく、ばかよけの設計もある。同時に、固定台座のモジュール構造が机に立つ場合に、滑り動きにくいというダブル用途も達成される。本考案の設計により、構造簡易の利点がある以外、全体の設計も有効的に伝統製品の欠点を解決するので、人性化の設計だと分かる。
【考案を実施するための最良の形態】
【００１０】
本考案の目的、特徴および効果などをご了解なさるために、以下、さらに具体的な実施例を図面にあわせて詳しく説明してみよう。
図１および図３を御覧下さい。本考案の一実施例による固定台座のモジュール構造は、無線ネットワーク装置３０に応用され、ネットワーク装置３０を安定かつ丈夫なように机又は他の固定物に直立させる。そんなモジュール構造は、主に、ベース１１を含む。ベース１１の向き合う両側に、上へ向かって延ばすように第一支持台座１２および第二支持台座１３を設ける。ベース１１は第一支持台座１２と第二支持台座１３との間に、凹穴１４が形成される。同時に、図３に示すように、凹穴１４の空間を経由して、おりよくネットワーク装置３０を二つの支持台座１２と支持台座１３との間に確実に設置する。
【００１１】
図１を御覧下さい。第一支持台座１２のトップエッジにおいて、凹穴１４に隣接する箇所に、下へ向かうように第一修正弾性アーム１２１を設ける。第一修正弾性アーム１２１の作用は、ネットワーク装置３０を平面に挟んで、偏していないように修正する。第二支持台座１３のトップエッジにおいて、凹穴１４に隣接する箇所に、下へ向かうように第二修正弾性アーム１３１を設ける。第二修正弾性アーム１３１の自由端に、位置決めユニット１３２を設置する。第二修正弾性アーム１３１の作用は、ネットワーク装置３０を平面に挟んで、偏していないように修正する。同時に、その位置決めユニット１３２はおりよくネットワーク装置３０を固定させる。本実施例において、位置決めユニット１３２は凸体を採用する。
【００１２】
その他、本考案の実施は、第一支持台座１２に第一修正弾性アーム１２１を設けて、第二支持台座１３に第二修正弾性アーム１３１を設けるということに限られない。実際のニーズに応じて選択的に第二修正弾性アーム１３１を第一支持台座１２に設けて、第一修正弾性アーム１２１を第二支持台座１３に設けてもよい。
【００１３】
凹穴１４面と第一支持台座１２との接続位置に、ばかよけのフランジ１４１を図１および図３に示すように設けて、ネットワーク装置３０に合わせて正確にアセンブリして、方向の位置決めをする。そして、錯誤の組立方向のせいで、ユーザが強制的に力を施し、固定台座のモジュールおよびネットワーク装置３０を損壊させるという現象を有効的に避ける。なお、本考案の実施は、凹穴１４面と第一支持台座１２との接続位置に、ばかよけのフランジ１４１を設けるということに限られない。実際のニーズに応じて選択的にばかよけのフランジ１４１を凹穴１４面と第二支持台座１３との接続位置に接続してもよい。
【００１４】
凹穴１４面には、予定距離の固定ブロック１４２が図１に示すように複数突出している。 固定ブロック１４２の作用は、図３に示すように、ネットワーク装置３０に設ける複数放熱孔３１に対応およびマッチするので、ネットワーク装置３０を凹穴１４面に放置するときに、それら固定ブロック１４２がおりよくそれら放熱孔３１に嵌め込まれる。そうすると、固定台座のモジュールとネットワーク装置３０とは緊密にフィットされ、脱落しない。
【００１５】
図２を御覧下さい。ベース１１の第一支持台座１２および第二支持台座１３の底部に、それぞれフートパッドの固定孔１１１を設ける。フートパッドの固定孔１１１を経由して、固定台座のモジュールが机に立つ場合に、滑り動くことを防ぐばかりでなく、固定台座のモジュールおよびネットワーク装置３０を安定かつ丈夫なように机に立たせ、転んで損害するということも避けられる。
【００１６】
以上の内容をまとめると、次のことがはっきり分かる。図３に示すように、ネットワーク装置３０を固定台座のモジュール構造の凹穴１４に入れる時に、第一修正弾性アーム１２１および第二修正弾性アーム１３１はネットワーク装置３０を偏していないように修正する。また、位置決めユニット１３２はおりよくネットワーク装置３０の片側における放熱孔３１に固定される。それら固定ブロック１４２もおりよくネットワーク装置３０の底部の放熱孔３１に嵌め込まれる。そして、ネットワーク装置３０は多面から支持され、安定かつ丈夫なように机に直立する。同時に、ばかよけフランジ１４１の設計により、ネットワーク装置３０のシュートパス３２しかマッチできないので、正確に位置決めするようにアセンブリされ、組立の錯誤が招いた損壊の現象を有効的に避ける。
【００１７】
本考案の最大の特色は、固定台座のモジュール構造の設計を経由して、ネットワーク装置をアセンブリしたあとで、有効的に挟んで固定し、偏していないように修正するばかりでなく、ばかよけの設計もある。同時に、固定台座のモジュール構造が机に立つ場合に、滑り動きにくいというダブル用途も達成される。本考案の設計により、構造簡易の利点がある以外、全体の設計も有効的に、伝統製品の欠点を解決するので、人性化の設計だと分かる。
【図面の簡単な説明】
【００１８】
【図１】本考案の一実施例による固定台座のモジュール構造を示す斜視図である。
【図２】本考案の一実施例による固定台座のモジュール構造の底部を示す斜視図である。
【図３】本考案の一実施例による固定台座のモジュール構造のアセンブリの局部を示す断面図である。
【符号の説明】
【００１９】
１１  ベース、１２第一支持台座、１３  第二支持台座、１４  凹穴、３０  ネットワーク装置、３１  放熱孔、３２  シュートパス、１１１  フートパッドの固定孔、１２１  第一修正弾性アーム、１３１  第二修正弾性アーム、１３２  位置決めユニット、１４１  ばかよけフランジ、１４２  固定ブロック
【図１】
0003102193.tif 000003
【図２】
0003102193.tif 000004
【図３】
0003102193.tif 000005